(57)【特許請求の範囲】
【請求項１】
インターネットに接続してデータの送受信が可能な送受信装置と、前記データを入力するための入力装置と、前記データの内容を表示できる表示装置と、日付、予定場所、予定内容、開始時刻、終了時刻等の行動予定データを保存できる記憶装置と、該記憶装置及び前記送受信装置、入力装置、表示装置を制御する制御装置とを備えた通信通話装置であって、該通信通話装置の使用者が予め前記行動予定データを前記インターネット上の特定サイトにアップロードして該特定サイトを管理するサーバ装置の記憶装置に保存しておき、必要に応じて前記使用者が前記特定サイトにアクセスして前記サーバ装置の記憶装置から前記行動予定データを呼び出して、前記使用者の通信通話装置の前記記憶装置にダウンロードすると共に、前記行動データの内容を前記表示装置から確認できるようにし、かつ、前記制御装置には、内蔵クロックが接続されると共に、通信相手の通信通話装置からの呼出信号を受信した際に、予め前記使用者の通信通話装置の前記記憶装置に保存された前記行動予定データと前記内蔵クロックの示す現在時刻とを比較する比較演算部を有し、該比較演算部によって比較した前記現在時刻に対応する前記行動予定データと、該行動予定データから算出される通話可能時間帯とを、電子メール又は音声メッセージで前記通信相手の通信通話装置に自動的に送信応答する自動応答モードを備えた通信通話装置において、前記比較演算部では、インターネット上の交通情報公開サイトに公開されている電車、航空機、船舶等の移動手段に関する出発場所、出発時刻、到着場所、到着時刻等の最新交通情報と前記行動予定データとを比較対照してその誤差を演算すると共に、前記通信相手の通信通話装置からの呼出信号を受信した際に、前記比較演算部によって得られた誤差を加えた前記行動予定データの修正データを作成し、該修正データ及び／又は該修正データから算出される通話可能時間帯を前記通信相手の通信通話装置に自動的に送信応答するようにしたことを特徴とする通信通話装置。
【請求項２】
前記制御装置には、通信相手の電話番号を判定する判定部と、前記自動応答モードによって前記通信相手の通信通話装置に送信応答する電子メール又は音声メッセージの内容の任意箇所を前記通信相手の電話番号に応じて変更できる編集部とを備えたことを特徴とする請求項１に記載の通信通話装置。
【請求項３】
使用者が必要に応じて前記入力装置を操作することにより、前記制御装置に備えられたモード切替部が作動して、自動応答モードと通常通話モードとが切り替えることができるようにしたことを特徴とする請求項１又は２に記載の通信通話装置。
【請求項４】
前記予定場所に電波発信装置が備えられている場合に、該電波発信装置の発信信号を前記使用者の通信通話装置が受信した時点又は受信していた前記発信信号が途絶えた時点で、前記使用者の通信通話装置が通常通話モードから自動応答モードへ又は自動応答モードから通常通話モードへ自動的に切り替わるようにしたことを特徴とする請求項１乃至３のいずれか１つに記載の通信通話装置。
【請求項５】
請求項１乃至４のいずれか１つに記載した通信通話装置を使用した通信システムであって、前記サーバ装置には電話番号又は該電話番号毎に設定された暗号の判定部を備えておき、複数の前記通信通話装置からのアクセス要求を受信した場合に、前記判定部によって該アクセス要求がいずれの前記通信通話装置の電話番号又は暗号からのものかを判定し、前記行動予定データのうちの前記通信通話装置の電話番号又は暗号に対応させて許容することとした部分のみを前記アクセス要求のあった前記通信通話装置に対して公開するようにしたことを特徴とする通信システム。
【発明の詳細な説明】
【０００１】
【発明の属する技術分野】
この発明は、通信通話装置、特にビジネスシーンで活用するＰＨＳ、携帯電話等の移動体通信に最適な通信通話装置及び通信システムに関する。
【０００２】
【従来の技術】
近年、ＰＨＳや携帯電話は下は小・中学生、上は高齢者まであらゆる年齢層に普及してきている。また、最近では文字情報や絵柄情報等を用いての電子メール交換も頻繁に目に付くようになった。さらに、着信音も以前は、単純な呼び出し音であったが、今やそれぞれのＰＨＳや携帯電話の使用者が好ましいとして設定した音、例えば流行歌のメロディーを奏でる着信メロディー（通称着メロという）機能もほぼ標準仕様となり、定期的に入力データを多数掲載した着メロ本も刊行されているほどである。
【０００３】
【発明が解決しようとする課題】
ところが、ＰＨＳや携帯電話の日常生活への爆発的な浸透とその利便性が、時と場所をわきまえないで通話する人達の増加をもたらし、いわゆる通話マナー問題がクローズアップされるようになってきた。
【０００４】
そこで、電話機メーカー各社は、通常使用の場合は着信音とし、時と場所をわきまえなければならない場合には、アンテナ先端等に設けた発光体が光を発生したり、ＰＨＳや携帯電話本体が振動して、ＰＨＳや携帯電話の使用者に受信を伝える、マナーモード機能が設けられるようになった。
【０００５】
このマナーモード機能により、ビジネスマンの電話が会議の最中に突然鳴り響くというような光景を目の当たりにする機会が減ってきたのも事実であるが、呼出信号を振動若しくは光で感じたＰＨＳや携帯電話の使用者としては、「ちょっと失礼」と他の会議参加者に言ってその場を離れるか、又は送信相手が誰であるかを確認して電源を切って、しばらく経って受信者側から相手に電話をするしか方法がなかった。
【０００６】
他の会議参加者としては、突然の呼出音にびっくりさせられることはなくなったものの、現在の打ち合わせ相手が突然自分のＰＨＳや携帯電話を見てその場を立ち去ることで、会議への集中力が遮断されることもあるし、ＰＨＳや携帯電話の相手がどんな用事で呼び出したのか気になることもあり、無用な不安感を与えることもある。
【０００７】
また、送信相手が誰であるか確認して電源を切るという行為は、そもそも電話が、意思伝達の道具であることからしても、相手に対して失礼であると言わざるを得ない。
【０００８】
また、「電話が届かない所にいるか電源が切られています。」その他、留守録伝言も送信相手の心理状態によっては不快感を増幅することもあり得る。
【０００９】
さらに、最近では、ペースメーカー所持者への配慮から電車内では移動体通信装置の電源を切ることが、又病院においては医療機器の誤作動のおそれから同様に電源を切ることが義務づけられており、礼を失することなく意思伝達する装置の実現が望まれていた。
【００１０】
ビジネスマンの多く、特に様々な人と分単位で商談をしなければならないような営業マンや会社の重役等は、システム手帳、電子手帳等で日頃からスケジュール管理をしている。最近では、会社若しくは自宅でパソコンにスケジュールを入力し管理している者も多く、ＰＨＳや携帯電話自体にスケジュールを書き込んでそれを表示できる表示機能が付与されたものまで登場している。
【００１１】
そこで、この発明は、使用者が多忙にも係らず、約束事を確実に遂行するために、一度入力したスケジュール情報を更に有効活用できること、加えて送信相手に対して不快感を与えることなく、コミュニケーションを一層円滑化できる通信通話装置及びそれを利用した通信システムを提供することを課題としている。
【００１２】
【課題を解決するための手段】
かかる課題を解決するため、請求項１に記載の発明は、インターネットに接続してデータの送受信が可能な送受信装置と、前記データを入力するための入力装置と、前記データの内容を表示できる表示装置と、日付、予定場所、予定内容、開始時刻、終了時刻等の行動予定データを保存できる記憶装置と、該記憶装置及び前記送受信装置、入力装置、表示装置を制御する制御装置とを備えた通信通話装置であって、該通信通話装置の使用者が予め前記行動予定データを前記インターネット上の特定サイトにアップロードして該特定サイトを管理するサーバ装置の記憶装置に保存しておき、必要に応じて前記使用者が前記特定サイトにアクセスして前記サーバ装置の記憶装置から前記行動予定データを呼び出して、前記使用者の通信通話装置の前記記憶装置にダウンロードすると共に、前記行動データの内容を前記表示装置から確認できるようにし、かつ、前記制御装置には、内蔵クロックが接続されると共に、通信相手の通信通話装置からの呼出信号を受信した際に、予め前記使用者の通信通話装置の前記記憶装置に保存された前記行動予定データと前記内蔵クロックの示す現在時刻とを比較する比較演算部を有し、該比較演算部によって比較した前記現在時刻に対応する前記行動予定データと、該行動予定データから算出される通話可能時間帯とを、電子メール又は音声メッセージで前記通信相手の通信通話装置に自動的に送信応答する自動応答モードを備えた通信通話装置において、前記比較演算部では、インターネット上の交通情報公開サイトに公開されている電車、航空機、船舶等の移動手段に関する出発場所、出発時刻、到着場所、到着時刻等の最新交通情報と前記行動予定データとを比較対照してその誤差を演算すると共に、前記通信相手の通信通話装置からの呼出信号を受信した際に、前記比較演算部によって得られた誤差を加えた前記行動予定データの修正データを作成し、該修正データ及び／又は該修正データから算出される通話可能時間帯を前記通信相手の通信通話装置に自動的に送信応答するようにしたことを特徴としている。
【００１３】
請求項２に記載の発明は、請求項１に記載の構成に加えて、前記制御装置には、通信相手の電話番号を判定する判定部と、前記自動応答モードによって前記通信相手の通信通話装置に送信応答する電子メール又は音声メッセージの内容の任意箇所を前記通信相手の電話番号に応じて変更できる編集部とを備えたことを特徴としている。
【００１４】
請求項３に記載の発明は、請求項１又は２に記載の構成に加えて、使用者が必要に応じて前記入力装置を操作することにより、前記制御装置に備えられたモード切替部が作動して、自動応答モードと通常通話モードとが切り替えることができるようにしたことを特徴としている。
【００１５】
請求項４に記載の発明は、請求項１乃至３のいずれか１つに記載した構成に加えて、前記予定場所に電波発信装置が備えられている場合に、該電波発信装置の発信信号を前記使用者の通信通話装置が受信した時点又は受信していた前記発信信号が途絶えた時点で、前記使用者の通信通話装置が通常通話モードから自動応答モードへ又は自動応答モードから通常通話モードへ自動的に切り替わるようにしたことを特徴としている。
【００１６】
請求項５に記載の発明は、請求項１乃至４のいずれか１つに記載した構成に加えて、通信通話装置を使用した通信システムであって、前記サーバ装置には電話番号又は該電話番号毎に設定された暗号の判定部を備えておき、複数の前記通信通話装置からのアクセス要求を受信した場合に、前記判定部によって該アクセス要求がいずれの前記通信通話装置の電話番号又は暗号からのものかを判定し、前記行動予定データのうちの前記通信通話装置の電話番号又は暗号に対応させて許容することとした部分のみを前記アクセス要求のあった前記通信通話装置に対して公開するようにことを特徴としている。
【００１９】
【発明の実施の形態】
以下、この発明の実施の形態を図面を用いて説明する。
【００２０】
図１は、この発明の実施の形態に係る通信通話装置のブロック図であって、通信相手の通信通話装置及びインターネットとの関係を示している。
【００２１】
この発明の実施の形態に係る通信通話装置１は、図１に示したように、行動予定データを保存しておくことのできる記憶装置２があり、必要に応じて自分の行動予定としての日付、予定場所、予定内容、開始時刻、終了時刻等の行動予定データが、入力装置３を操作することによって記憶装置２に保存される。
【００２２】
週間スケジュールのように行動予定データが少ない場合には、通信通話装置１の記憶装置２に直接保存することでよいが、年間スケジュール等の大量の行動予定データを扱う場合には、インターネット４上に接続されているサーバ装置Ｓが有する特定サイトに大量の行動予定データを記録することでサーバ装置Ｓの大容量の記憶装置５に保存させておいて、必要に応じてその都度、通信通話装置１の記憶装置２の容量に応じた少量の行動予定データだけをサーバ装置Ｓの記憶装置５からダウンロードして、その少量の行動予定データを通信通話装置１の記憶装置２に保存して利用するとよい。そのため通信通話装置１には、インターネット４に接続してデータを送受信できる送信装置６と受信装置７が備えられている。
【００２３】
また、通信通話装置１には、クロック発信器による常時時間を刻む内蔵クロック８が備えられており、常に現在時刻が確認できるようになっている。
【００２４】
入力した行動予定の内容の確認や外部からの現在時刻の確認は、液晶ディスプレイ等の表示装置９に表示される文字や画像によって行えるようになっている。
【００２５】
入力装置３、記憶装置２、内蔵クロック８、表示装置９、送信装置６及び受信装置７は、いずれも制御装置１０に接続されており、この制御装置１０は接続されているそれぞれの装置の制御を行う他、通信相手の通信通話装置１１へのメッセージを生成したり、生成したメッセージを記憶装置２に保存し、必要に応じてそのメッセージを記憶装置２から呼び出して通信相手の通信通話装置１１に送信することも司っている。
【００２６】
メッセージは音声であっても文字であってもよく、音声であれば、送話器（図示せず）から音声アナログ信号をデジタルデータに変換し、これをシリアルからパラレルの信号に変換し、制御装置１０を介して、記憶装置２に保存する。文字メッセージの場合には、入力装置３から入力された文字データを制御装置１０を介して記憶装置２に保存する。
【００２７】
制御装置１０には、内蔵クロック８の現在時刻と行動予定データのうちの開始時刻、終了時刻等の時刻データとを比較し、その誤差を読み取ることのできる比較演算部１２を有している。また、制御装置１０には、呼出信号の待ち受け状態において、そのまま会話ができる通常通話モードと、会話をすることなく通信通話装置１が自動で応答する自動応答モードとのいずれか一方を選択するためのモード切替部１３を有している。このモード切替部１３は、入力装置３から手動操作で作動させることができるようにもなっており、必要に応じて使用者の意思で自動と手動との使い分けることができるようにしている。
【００２８】
通信通話装置１は、使用者の通信通話装置１宛に呼出信号を受けるまでは、待機状態（待ち受け状態）にあり、呼出信号を受けると、これを制御装置１０が認識して、スピーカ（図示せず）からの音の発生又は表示装置９の光や文字或いはバイブレータ（図示せず）の振動によって使用者に所定の時間だけ着信したことを知らせるようになっている。
【００２９】
以下、この発明の実施の形態に係る通信通話装置の使用方法について説明する。
【００３０】
まず、通信通話装置１の使用者は、入力装置３を操作して自分の行動予定データを事前に記憶装置２に保存しておく必要がある。その場合に、当然に自分の通信通話装置１の入力装置から行動予定データを直接入力して記憶装置２に保存することもできる。しかし、ここで、通信通話装置１とは、ＰＨＳ、携帯電話、自動車電話等の移動体通信通話装置及び自宅や事務所等に備え付けられている据置電話を想定しており、いずれも文字入力には弱いため、大量の行動予定データを入力する場合には、別途パソコンを利用した方が賢明であるといえる。
【００３１】
そのためには、インターネット４上に行動予定データを記録保存するための特定サイトを準備し、この特定サイトに図２に示したような入力兼検索画面１４が表示されるように設定しておき、この入力兼検索画面１４に向かって日付１５、開始時刻１６、終了時刻１７及び帰社時刻１８等の時刻データと予定場所１９、予定内容２０等の時刻データ以外のデータからなる行動予定を入力して、そのデータをこの特定サイトに記録保存するとよい。そして、その後、通信通話装置１からその特定サイトにアクセスして、特定サイトに記録保存された行動予定データを通信通話装置１の記憶装置２にダウンロードすればよい。
【００３２】
行動予定データの入力手段としては、例えばルーズリーフ形式の手書きのシステム手帳に記録した自分の行動予定を、光学式文字読み取り装置（ＯＣＲ）を採用して直接読み取ることが考えられる。そして、その読み取った文字を電子データ化して通信通話装置１の記憶装置２に記録保存するようにしてもよい。
【００３３】
図３は、この発明の実施の形態に係る通信通話装置における行動予定データと内蔵クロックの現在時刻との比較演算により出力されるメッセージの例を示した説明図である。図４は、この発明の実施の形態に係る通信通話装置に入力された行動予定データを示すスケジュールテーブルである。図５は、この発明の実施の形態に係る通信通話装置の自動応答モードにおける手順を示したフローチャートである。
【００３４】
自動応答モードを選択した場合の通信通話装置１は、次のような手順で通常メッセージの自動応答がなされる（図５参照）。
【００３５】
使用者は入力装置３を操作して、事前に通信通話装置１の記憶装置２に自分の行動予定データを保存しておく（Ｓ１）。次に、通信通話装置１のモード切替部１３を手動又は自動で自動応答モードに切り替える（Ｓ２）。そこで、使用者の通信通話装置１が通信相手の通信通話装置１１からの呼出信号を受信した場合には（Ｓ３）、制御装置１０の働きによって記憶装置２に保存されている行動予定データが呼び出される（Ｓ４）。
【００３６】
ここで、記憶装置２に保存されている行動予定データは、図４に示したように、日付１５、開始時刻１６、終了時刻１７及び帰社時刻１８等の時刻データと予定場所１９、予定内容２０等の時刻データ以外のデータとであって、スケジュールテーブル２２に示された構成からなっている。
【００３７】
次に、記憶装置２から呼び出された行動予定データのうちの日付１５、開始時刻１６、終了時刻１７及び帰社時刻１８等の時刻データと内蔵クロック８の示す現在時刻２１とが比較演算部１２によって比較される（Ｓ５）。比較された結果、現在時刻２１よりも後の帰社時刻１８を抽出し（Ｓ６）、同じく比較演算部１２でその帰社時刻１８に予め設定した余裕時間（例えば、１０分）を加算した通話可能時間帯Ｗ（例えば、１時間）を算出する（Ｓ７）。算出された通話可能時間帯Ｗと行動予定データとを予め設定した定型文中に挿入した応答メッセージを編集部２２で編集する（Ｓ８）。編集された応答メッセージは、制御装置１０によって通信相手の通信通話装置１１に自動的に送信することで（Ｓ９）、呼出信号に対する自動応答が終了する。
【００３８】
具体的な応答メッセージとしては、図３に示したように、通話可能時間帯Ｗのメッセージと共に、現在時刻２１に対応する行動予定データのうちの予定場所１９、予定内容２０等の時刻データ以外のデータも合わせて送信することが考えられる。
【００３９】
なお、通話可能時間帯Ｗに関するメッセージを添付しない場合には、ステップ７（Ｓ７）を省略し、図６に示したような行動予定データだけを定型文中に挿入した応答メッセージを通信相手の通信通話装置１１へ送信することとなる。いずれのタイプを選択するかは、必要に応じて変更可能な設計上の問題であり、予めどちらのタイプも組み込んでおいて、場面に応じて使い分けるようにしてもよい。
【００４０】
次に、行動予定データに関連する移動手段の交通情報を参考にした場合の自動応答の手順とその応答メッセージについて説明する。
【００４１】
図７は、この発明の実施の形態に係る通信通話装置における行動予定データ及び交通情報の時刻データと内蔵クロックの現在時刻との比較演算により出力されるメッセージの例を示した説明図である。図８は、交通情報公開サイトに公開されている電車の時刻表のデータテーブルの一例である。図９は、この発明の実施の形態に係る通信通話装置において、移動手段の交通情報を参考にした場合の自動応答モードにおける手順を示したフローチャートである。
【００４２】
通信通話装置１の使用者は、事前に行動予定データを記憶装置２に保存しておく（Ｓ１１）と共に、通信通話装置１から交通情報が公開されている公開サイトにアクセスして最新の交通情報を入手し、行動予定データとは別のデータとして記憶装置２に保存しておく（Ｓ１２）。
【００４３】
ここで、入手した交通情報のデータテーブル２３には、図８に示したように、日付２４、出発時刻２５、到着時刻２６等の時刻データと移動手段名２７、路線名２８、出発場所２９、到着場所３０等の事項データ以外のデータとが記録されている。
【００４４】
次に、通信通話装置１のモード切替部１３を手動又は自動で自動応答モードに切り替えておくと（Ｓ１３）、使用者の通信通話装置１が通信相手の通信通話装置１１からの呼出信号を受信した場合には（Ｓ１４）、制御装置１０の働きによって記憶装置２に保存されている行動予定データが呼び出される（Ｓ１５）。
【００４５】
そして、呼び出された行動予定データと内蔵クロック８の示す現在時刻２１とが比較演算部１２によって比較され（Ｓ１６）、現在時刻２１が移動手段を利用している時間帯である場合には、交通情報のデータテーブル２３を参照し、そのうちの出発時刻２５、到着時刻２６等の時刻データと内蔵クロック８の示す現在時刻２１とが比較演算部１２によって比較される（Ｓ１７）。
【００４６】
比較した結果、現在時刻２１よりも後の到着時刻２６を抽出し（Ｓ１８）、その到着時刻２６に予め設定した余裕時間（例えば、１０分）を加算した通話可能時間帯Ｗ（例えば、１時間）を算出する（Ｓ１９）。算出された通話可能時間帯Ｗと行動予定データとを予め設定した定型文中に挿入した応答メッセージを編集部２２で編集する（Ｓ２０）。編集された応答メッセージは、制御装置１０によって通信相手の通信通話装置１１に自動的に送信することで（Ｓ２１）、呼出信号に対する自動応答が終了する。
【００４７】
具体的な応答メッセージとしては、図７に示したように、通話可能時間帯Ｗのメッセージと共に、移動手段名２７、路線名２８、出発場所２９、到着場所３０等の事項データ以外のデータも合わせて送信することが考えられる。
【００４８】
なお、通話可能時間帯Ｗに関するメッセージを添付しない場合には、ステップ１９（Ｓ１９）を省略し、行動予定データだけを定型文中に挿入した応答メッセージを通信相手の通信通話装置１１へ送信することとなる。
【００４９】
ところで、インターネット４上で公開されている交通情報にあっては、実際の状況によってその情報が逐次更新されることになるので、何らかの原因で移動手段の予定運行時間に遅れが出ている場合には、その遅れている運行状況が公開される。そのため、予め記憶装置２に保存されている行動予定データと実際の運行状況とに誤差が生じた場合には、比較演算部１２によって行動予定データに誤差を加えた修正データを作成し、その修正データによって編集された応答メッセージが通信相手の通信通話装置１１に自動的に送信されるようにすることが望ましい。
【００５０】
具体的には、例えば、出発時刻２５が８時４５分のところ３０分遅れている旨の運行状況が公開されている場合には、当初の出発時刻２５の８時４５分に３０分を加算した９時１５分が出発時刻２５となる旨のメッセージを編集するように制御装置１０を設定すればよい。
【００５１】
これにより、インターネット４上の交通情報公開サイトに公開されている電車、航空機、船舶等の各種移動手段に関する最新の運行状況を考慮した応答メッセージが送信されることになり、より正確な行動予定を通信相手に通知することが可能となる。
【００５２】
また、図１０に示したように、予定場所Ａに特定の波長の発信信号を発生する電波発信装置３１が備えてある場合には、使用者が予定場所Ａに近づいた際に、この電波発信装置３１の発信信号を使用者の通信通話装置１の受信装置７が受信して、この発信信号が制御装置１０に送られることでモード切替部１３が作動して、通常通話モードから自動応答モードへ回路が切り替えられるように、予め制御装置１０を設定しておく。また、使用者が予定場所Ａから離れた際に、受信していた発信信号が途絶えた時点で、使用者の通信通話装置１が自動応答モードから通常通話モードへ切り替わるようにモード切替部１３が作動するよう、予め制御装置１０を設定しておく。
【００５３】
これにより、使用者が意識せずとも使用環境に応じた最適な使用モード（通常通話モード又は自動応答モード）が自動的に選択されることとなるので、使用モードの切替に神経を使うことがなくなる。
【００５４】
なお、特定の波長の発信信号を発生する電波発信装置３１及びこの発信信号の送受信技術としては、小型のトランシーバーモジュールを通信通話装置１に搭載することで、障害物があっても半径１０メートルの範囲で１Ｍｂｐｓの無線通信が可能なブルートゥース（Ｂｌｕｅｔｏｏｔｈ）という双方向通信規格を利用することが有効である。
【００５５】
また、この発明の実施の形態に係る通信通話装置１では、通信相手の通信通話装置１１に送信応答する電子メール又は音声メッセージの任意箇所の内容を編集できるものとしている。
【００５６】
つまり、通信通話装置１には、呼出信号から相手の通信通話装置１１の電話番号を読み取り、その電話番号を予め記憶装置２に保存しておいた電話番号と照合してその整合性を判定する判定部３２を備えておく。さらに、電子メール又は音声メッセージの内容の任意箇所、具体的には定型文の敬語が使われる箇所や「です・ます調」や「である調」等の文体を決める末尾等を、通信相手の電話番号に応じて別個に変更設定できる編集部２２を備えておく。
【００５７】
これにより、例えば、相手の通信通話装置１１が顧客の電話番号の場合には、敬語と丁寧語を使用した文体のメッセージを設定して記憶装置２にそのメッセージを保存しておき、相手の通信通話装置１１が同僚や部下の電話番号の場合には、日常語を使用した文体のメッセージを設定して記憶装置２にそのメッセージを保存しておけば、使用者の通信通話装置１が通信相手の通信通話装置１１からの呼出信号を受信した場合に、通信通話装置１の判定部３１が呼出信号がいずれの通信通話装置１１の電話番号からのものかを判定し、顧客の電話番号の場合には、その電話番号に対応した敬語と丁寧語からなるメッセージが記憶装置２から呼び出されて通信相手に送信され、同僚や部下の電話番号の場合には、その電話番号に対応した日常語からなるメッセージが記憶装置２から呼び出されて通信相手に送信されることとなる。
【００５８】
以下、この発明に係る実施の形態の通信通話装置を利用したシステムについて説明する。
【００５９】
インターネット４上に接続されているサーバ装置Ｓが有する特定サイトには詳細な行動予定データを記録しておいて、使用者本人以外の第三者がこの行動予定データにアクセスできるようにすると共に、そのアクセスできるデータの範囲を特定の範囲に制限することが考えられる。
【００６０】
つまり、行動予定データの第三者へ公開する範囲にランク付け（例えば、Ａランク，Ｂランク，Ｃランク）をしておき、そのランク毎に対応した暗号を付与し、その暗号と一致した暗号からのアクセス要求に対してのみ、その暗号に対応したランクに許容された範囲の行動予定データを公開するといったことが可能となる。暗号は、行動予定データを公開する本人が承認したものに限り、予めサーバ装置Ｓの記憶装置５に保存しておき、この保存されている暗号とアクセス要求してきた通信相手の暗号とを照合して一致するか否かをサーバ装置Ｓに設けられた判定部（図示せず）によって判定すればよい。
【００６１】
このようなシステムを採用することにより、行動予定データを公開している本人に連絡を取りたい場合には、携帯電話等の通信通話装置１１やパソコンから、インターネット４を介してその本人の行動予定データが公開されている特定サイトにアクセスすることで、暗号によって許容されている範囲で本人の行動予定データをインターネット４上で知ることができる。このため、連絡を取る前に本人の都合のよい時間帯を知ることができることとなり、タイミングよく本人と連絡が取れることとなる。結果として、コミュニケーションを円滑に行うことができ、互いの仕事の効率が向上できる。
【００６２】
【発明の効果】
以上説明してきたように、請求項１に記載された発明によれば、通信通話装置の使用者が予め行動予定データをインターネット上の特定サイトにアップロードして該特定サイトを管理するサーバ装置の記憶装置に保存しておき、必要に応じて使用者が特定サイトにアクセスしてサーバ装置の記憶装置から行動予定データを呼び出して、使用者の通信通話装置の前記記憶装置にダウンロードすると共に、行動データの内容を前記表示装置から確認できるようにし、かつ、制御装置には、内蔵クロックが接続されると共に、通信相手の通信通話装置からの呼出信号を受信した際に、予め使用者の通信通話装置の記憶装置に保存された行動予定データと内蔵クロックの示す現在時刻とを比較する比較演算部を有し、該比較演算部によって比較した現在時刻に対応する行動予定データと、該行動予定データから算出される通話可能時間帯とを、電子メール又は音声メッセージで通信相手の通信通話装置に自動的に送信応答する自動応答モードを備えた通信通話装置において、比較演算部では、インターネット上の交通情報公開サイトに公開されている電車、航空機、船舶等の移動手段に関する出発場所、出発時刻、到着場所、到着時刻等の最新交通情報と行動予定データとを比較対照してその誤差を演算すると共に、通信相手の通信通話装置からの呼出信号を受信した際に、比較演算部によって得られた誤差を加えた行動予定データの修正データを作成し、該修正データ及び／又は該修正データから算出される通話可能時間帯を通信相手の通信通話装置に自動的に送信応答するようにしたので、何らかの原因で移動手段の予定運行時間に遅れが出ている場合には、その遅れている運行状況を考慮したメッセージが通信相手の通信通話装置に自動的に送信応答されることになるため、より正確な行動予定データに基づいた応答メッセージを相手に送信することが可能となる。
【００６４】
請求項２に記載の発明によれば、請求項１の効果に加えて、制御装置には、通信相手の電話番号を判定する判定部と、自動応答モードによって通信相手の通信通話装置に送信応答する電子メール又は音声メッセージの内容の任意箇所を通信相手の電話番号に応じて変更できる編集部とを備えたので、既存の電話番号登録対象者にあっては、通信相手を意識することなく常に的確な応答が可能となる。
【００６５】
請求項３に記載の発明によれば、請求項１又は２に記載の効果に加えて、使用者が必要に応じて入力装置を操作することにより、制御装置に備えられたモード切替部が作動して、自動応答モードと通常通話モードとが切り替えることができるようにしたので、使用者の実際の行動が行動予定データと異なることとなったときに自動応答モードと通常通話モードとを切り替えることで、使用環境に応じた対応ができることとなる。
【００６６】
請求項４に記載の発明によれば、請求項１乃至３のいずれか１つに記載の効果に加えて、予定場所に電波発信装置が備えられている場合に、該電波発信装置の発信信号を使用者の通信通話装置が受信した時点又は受信していた発信信号が途絶えた時点で、使用者の通信通話装置が通常通話モードから自動応答モードへ又は自動応答モードから通常通話モードへ自動的に切り替わるようにしたので、使用者が使用モードに切替に神経を使うことがなくなる。
【００６７】
請求項５に記載の発明によれば、請求項１乃至４のいずれか１つに記載した通信通話装置を使用した通信システムであって、サーバ装置には電話番号又は該電話番号毎に設定された暗号の判定部を備えておき、複数の通信通話装置からのアクセス要求を受信した場合に、判定部によって該アクセス要求がいずれの通信通話装置の電話番号又は暗号からのものかを判定し、行動予定データのうちの通信通話装置の電話番号又は暗号に対応させて許容することとした部分のみをアクセス要求のあった通信通話装置に対して公開するようにしたので、携帯電話等の通信通話装置やパソコンから本人の行動予定データをインターネット上で知ることができる。このため、連絡を取る前に本人の都合のよい時間帯を知ることができることとなり、タイミングよく本人と連絡が取れることとなる。
【図面の簡単な説明】
【図１】  この発明の実施の形態に係る通信通話装置のブロック図であって、通信相手の通信通話装置及びインターネットとの関係を示している。
【図２】  同実施の形態に係る通信通話装置がアクセスできる特定サイトに設けた行動予定データの入力兼検索画面の一例である。
【図３】  同実施の形態に係る通信通話装置における行動予定データと内蔵クロックの現在時刻との比較演算により出力される通話可能時間帯を含んだメッセージの例を示した説明図である。
【図４】  同実施の形態に係る通信通話装置に入力された行動予定データを示すスケジュールテーブルである。
【図５】  同実施の形態に係る通信通話装置の自動応答モードにおける手順を示したフローチャートである。
【図６】  この発明の実施の形態に係る通信通話装置における行動予定データと内蔵クロックの現在時刻との比較演算により出力される通話可能時間帯を含まないメッセージの例を示した説明図である。
【図７】  この発明の実施の形態に係る通信通話装置における行動予定データ及び交通情報の時刻データと内蔵クロックの現在時刻との比較演算により出力されるメッセージの例を示した説明図である。
【図８】  交通情報公開サイトに公開されている電車の時刻表のデータテーブルの一例である。
【図９】  この発明の実施の形態に係る通信通話装置において、移動手段の交通情報を参考にした場合の自動応答モードにおける手順を示したフローチャートである。
【図１０】  同実施の形態に係る通信通話装置を予定場所に特定の波長の発信信号を発生する電波発信装置が備えてある環境下での使用状態を示す模式図である。
【符号の説明】
１，１１  通信通話装置
２  記憶装置
３  入力装置
４  インターネット
５  サーバ装置
６  送信装置
７  受信装置
８  内蔵クロック
９  表示装置
１０  制御装置
１２  比較演算部
１３  モード切替部
【図１】
0004342712.tif 000002
【図２】
0004342712.tif 000003
【図３】
0004342712.tif 000004
【図４】
0004342712.tif 000005
【図５】
0004342712.tif 000006
【図６】
0004342712.tif 000007
【図７】
0004342712.tif 000008
【図８】
0004342712.tif 000009
【図９】
0004342712.tif 000010
【図１０】
0004342712.tif 000011